(57)【要約】【課題】部品の複合化によって、確実に製造効率を向上できる光ピックアップ装置の製造方法を提案すること。【解決手段】グレーティング２ａが複数個形成された回折格子板としてのグレーティング板２２と、フィルム状の１／２波長板２３と、レンズ４ａが複数個形成されたレンズ板２４とを、接着剤によって順次接着して積層体を形成する。この積層体を、複数の第１切断面２５と第２切断面２６とで切断して分割することにより、複数の光分岐部を形成する。個々のグレーティング部材と１／２波長板部材とレンズ部材とを接着するよりも少ない工程で光分岐部を作成できる。【選択図】図２
2007207350.tif 000002
【特許請求の範囲】
【請求項１】
光源と、
上記光源からの光束を、少なくとも３本の光束に分岐する光分岐部と、
上記少なくとも３本の光束を集光して、光学的情報記録媒体の記録面上に少なくとも３個の集光スポットを照射する集光光学系と、
上記少なくとも３個の集光スポットが上記光学的情報記録媒体で反射されてなる少なくとも３個の反射光を受ける受光面を有し、この受光面上における上記少なくとも３個の反射光の受光位置を検出する光検出器とを有する光ピックアップ装置の製造方法であって、
複数の回折格子が形成された回折格子板と、光の偏光面を変える波長板と、複数のレンズが形成されたレンズ板との少なくとも２つを互いに積層して、積層体を形成する工程と、
上記積層体を分割して、複数の上記光分岐部を形成する工程と
を備えることを特徴とする光ピックアップ装置の製造方法。
【請求項２】
請求項１に記載の光ピックアップ装置の製造方法において、
上記回折格子板の回折格子は、フォトポリマー法、インジェクション成形法又はドライエッチングによって形成されたことを特徴とする光ピックアップ装置の製造方法。
【請求項３】
請求項１に記載の光ピックアップ装置の製造方法において、
上記波長板は、上記光源から出射されたＰ偏光をＳ偏光に偏波する１／２波長板であり、所定方向に延伸された樹脂のキャスティングフィルムで形成されたことを特徴とする光ピックアップ装置の製造方法。
【請求項４】
請求項１に記載の光ピックアップ装置の製造方法において、
上記レンズ板のレンズは、フォトポリマー法又はインジェクション成形法によって形成されたことを特徴とする光ピックアップ装置の製造方法。
【請求項５】
請求項１に記載の光ピックアップ装置の製造方法において、
上記積層体を形成する工程は、上記回折格子、波長板及びレンズ板のうちの少なくとも２つを、接着剤で互いに接着する工程であることを特徴とする光ピックアップ装置の製造方法。
【請求項６】
請求項１に記載の光ピックアップ装置の製造方法において、
上記積層体を形成する工程は、上記回折格子板と、上記波長板と、この波長板を覆うガラス板とを接着剤で互いに接着する工程であることを特徴とする光ピックアップ装置の製造方法。
【請求項７】
請求項１に記載の光ピックアップ装置の製造方法において、
上記積層体を形成する工程は、上記回折格子とレンズ板とを接着剤で接着する工程であることを特徴とする光ピックアップ装置の製造方法。
【請求項８】
請求項５乃至７のいずれか１つに記載の光ピックアップ装置の製造方法において、
上記接着剤は、エポキシ系接着剤であることを特徴とする光ピックアップ装置の製造方法。
【請求項９】
請求項１に記載の光ピックアップ装置の製造方法において、
上記積層体の表面及び裏面のうちの少なくとも一方に、反射防止膜を形成する工程を備えることを特徴とする光ピックアップ装置の製造方法。
【請求項１０】
請求項１に記載の光ピックアップ装置の製造方法において、
上記光分岐部を形成する工程は、上記積層体をダイシングによって分割して、複数の上記光分岐部を形成する工程であることを特徴とする光ピックアップ装置の製造方法。
【発明の詳細な説明】
【技術分野】
【０００１】
本発明は、光学的情報記録媒体（以下光ディスクという。）の記録面上に光スポットを照射し、上記光ディスクに情報を記録し、また、上記光ディスクに記録された情報を再生する光ピックアップ装置の製造方法に関する。
【背景技術】
【０００２】
従来より、ＤＶＤ（デジタル多用途ディスク）とＣＤ（コンパクトディスク）の両方について再生又は記録を行うディスクドライブ用の光ピックアップ装置では、ＤＶＤ用とＣＤ用との２つの異なる波長の光源を備え、この２つの光源から発した光を同一の光路に乗せている。この種の光ピックアップ装置としては、従来、図７（ａ）及び（ｂ）に示すような光学系を有するものがある。この光ピックアップ装置は、レーザチップがフレームパッケージに搭載されてなるＤＶＤ用レーザ１を備え、このＤＶＤ用レーザ１から出射した直線偏光（Ｐ偏光）のレーザ発散光は、ＤＶＤ用グレーティング５２によって回折されて、０次光束及び±１次回折光束の３本の光束となってＤＶＤ用１／２波長板５３に独立して入射する。
【０００３】
上記ＤＶＤ用１／２波長板５３は、３つの光束の偏波面を９０度変えてＳ偏光の発散光に変換し、このＳ偏光の発散光はＤＶＤ用カップリングレンズ５４に入射する。このＤＶＤ用カップリングレンズ５４は、光ピックアップの外形形状やコリメートレンズ１１の開口数ＮＡによってその設置や仕様が決定され、リレーレンズとして働く。このＤＶＤ用カップリングレンズ５４により僅かに絞られた発散光は、第１キューブプリズム９の蒸着によって形成された反射膜９ａで反射され、コリメートレンズ１１に入射する。
【０００４】
このコリメートレンズ１１によって発散光が略平行光となり、この平行光は、図７（ｂ）に示すように、立ち上げ全反射ミラー１２によって光路が９０度曲げられ、１／４波長板１３を通過する。この１／４波長板１３によって出射光が円偏光となり、この円偏光光が対物レンズ１４に入射する。この対物レンズ１４は、円偏光の平行光を絞り込み、ディスク１５のピット面１５ａ（又は記録膜面１５ｂ）に微小なスポットとして集光する。このディスクの記録媒体上のピット面１５ａには、上記ＤＶＤレーザ１からの出射光がＤＶＤ用グレーティング５２で３本の光束に分離されることにより、３個の微小スポットが集光される。
【０００５】
上記光ディスク１５に集光された微小スポットの反射光は、往路の光とは偏光面の旋回方向が反対の円偏光となり、再び対物レンズ１４、１／４波長板１３を通過して、往路の光と偏光方向が直交した直線偏光光となる。この直線偏光光は、立ち上げミラー１２及びコリメートレンズ１１を通り、第１キューブプリズム９の蒸着膜９ａに入射する。この蒸着膜９ａは偏光膜であり、往路の光と偏光方向が直交した光を通過させる。この蒸着膜９ａを通過した光は、第２キューブプリズム１０の蒸着膜（偏光膜）１０ａを通過し、シリンドリカルレンズ１７によって非点収差が付加され、信号検出用ＰＤＩＣ（光検出器集積回路）１８の受光面に入射する。このＰＤＩＣ１８によって、受光面からの光出力が電気信号に変換され、演算されて、公知のＲＦ（高周波）信号やフォーカス信号や、トラッキング信号が出力される。
【０００６】
一方、ＣＤディスクの再生又は記録を行う場合は、ＣＤ用レーザ５の発光点５ａから出射された直線偏光（Ｐ偏光）の拡散光が、ＣＤ用グレーティング６、ＣＤ用１／２波長板７、ＣＤ用カップリングレンズ８を通過することにより、ＤＶＤ側と同様なＳ偏光の拡散光となり、キューブプリズムの偏光膜１０ａによって反射される。
【０００７】
上記キューブプリズムの偏光膜１０ａで反射された拡散光は、キューブプリズムの膜９ａを通過する。この膜９ａは偏光膜であると共にダイクロイック膜であり、ＤＶＤ用波長（６５０ｎｍ）の光は反射する一方、ＣＤ用波長（７８０ｎｍ）の光は透過する特性を有している。上記第１キューブプリズム９を通過したＣＤ用拡散光は、コリメートレンズ１１、立ち上げミラー１２、１／４波長板１３を通過し、対物レンズ１４によってディスク１５のピット面１５ａ（又は記録膜面１５ｂ）に３個の微小スポットとして集光される。
【０００８】
そしてディスク１５により反射された光は、ＤＶＤ側と同様に、往路の光と偏光方向が直交した直線偏光光として第１及び第２キューブプリズム９，１０を通過し、ＰＤＩＣ１８に受光される。
【０００９】
上記第１キューブプリズムの蒸着膜９ａは、ＤＶＤ用波長の光を一部透過し、また、ＣＤ用波長の光を一部反射させるものであり、この透過又は反射された光をフロントモニタ用ＰＤＩＣ１６に入射させて、記録または再生時のレーザパワーのモニタリングを行う。
【００１０】
上記従来の光ピックアップ装置は、ＤＶＤ用とＣＤ用との波長が互いに異なる光源と、各光源に対応する光学系とを備えるので、単一の波長の光源を有する光ピックアップ装置に比べて多くの光学部品が必要である。したがって、部品コストの削減や、組み立て工数の削減が大きな課題となっている。
【００１１】
特に、ＤＶＤ及びＣＤ用レーザ１，５に対してグレーティング５２，６、波長板５３，７及びカップリングレンズ５４，８を所定の精度で配置する必要がある。これらの部品を精度良く保持するため、図８に示すようなホルダー１９を各レーザ１，５の光学系に用いており（図８ではＤＶＤ用のホルダー１９を示している）、したがって、部品点数の削減が困難であるという課題があった。
【００１２】
そこで、従来、部品点数の削減や組み立て工数の削減を目的として、光学部品の複合化を行った光ピックアップ装置が提案されている。
【００１３】
具体的には、偏光ビームスプリッタの複数面のうちの３面に、回折格子、１／４波長板及びシリンドリカルレンズを接着剤によって一体化した光ピックアップ装置が提案されている（例えば特許文献１：特開昭６０−９３６５０号公報参照）。
【００１４】
また、レンズと回折格子を一体化した光ピックアップ装置が提案されている（例えば特許文献２：特開平１１−１７６００８号公報参照）。
【００１５】
また、レーザ光源に回折格子及び波長板等を一体化して、レーザユニットを構成した光ピックアップ装置が提案されている（例えば特許文献３：特開２００２−９２９３３号公報、特許文献４：特開２００１−１９５７７０号公報参照）。
【００１６】
しかしながら、上記従来の光ピックアップ装置のいずれも、複数の光学部品の一体化を、光ピックアップ装置の１台毎に行っている。すなわち、光ピックアップ装置の光学部品のモジュールを構成する部品を１台単位で準備して、この構成部品を接着剤等で一体化して光学部品のモジュールを作成している。したがって、現実の製造ラインでは、構成部品の接着工程を、光ピックアップ装置の製造個数回行うことになるので、ホルダーを用いて複数の光学部品を一体化した場合に対して、組み立て工数の削減効果が殆ど得られなくて製造効率を向上できないという問題がある。
【特許文献１】特開昭６０−９３６５０号公報
【特許文献２】特開平１１−１７６００８号公報
【特許文献３】特開２００２−９２９３３号公報
【特許文献４】特開２００１−１９５７７０号公報
【発明の開示】
【発明が解決しようとする課題】
【００１７】
そこで、本発明の課題は、部品の複合化によって、確実に製造効率を向上できる光ピックアップ装置の製造方法を提案することがある。
【課題を解決するための手段】
【００１８】
上記課題を解決するため、本発明の光ピックアップ装置の製造方法は、
光源と、
上記光源からの光束を、少なくとも３本の光束に分岐する光分岐部と、
上記少なくとも３本の光束を集光して、光学的情報記録媒体の記録面上に少なくとも３個の集光スポットを照射する集光光学系と、
上記少なくとも３個の集光スポットが上記光学的情報記録媒体で反射されてなる少なくとも３個の反射光を受ける受光面を有し、この受光面上における上記少なくとも３個の反射光の受光位置を検出する光検出器とを有する光ピックアップ装置の製造方法であって、
複数の回折格子が形成された回折格子板と、光の偏光面を変える波長板と、複数のレンズが形成されたレンズ板との少なくとも２つを互いに積層して、積層体を形成する工程と、
上記積層体を分割して、複数の上記光分岐部を形成する工程と
を備えることを特徴としている。
【００１９】
上記構成によれば、上記回折格子板と、波長板と、レンズ板との少なくとも２つが積層されて積層体が形成される。この積層体が分割されて、複数の上記光分岐部が形成される。したがって、光分岐部の構成部品を光分岐部の一台毎に一体化するよりも、確実に組み立て工数の削減を行うことができる。その結果、確実に、光ピックアップ装置の製造効率を向上することができる。
【００２０】
一実施形態の光ピックアップ装置の製造方法は、上記回折格子板の回折格子は、フォトポリマー法、インジェクション成形法又はドライエッチングによって形成されている。
【００２１】
上記実施形態によれば、複数の回折格子を回折格子板に高精度に形成することができる。したがって、光分岐部の所定の性能を得つつ、光分岐部の１個当たりの製造コストを低減できる。
【００２２】
一実施形態の光ピックアップ装置の製造方法は、上記波長板は、上記光源から出射されたＰ偏光をＳ偏光に偏波する１／２波長板であり、所定方向に延伸された樹脂のキャスティングフィルムで形成されている。
【００２３】
上記実施形態によれば、上記キャスティングフィルムを用いて積層体を形成し、この積層体を分割することによって、１／２波長板を有する光分岐部を少ない工程で形成できる。したがって、光分岐部を安価に形成でき、ひいては、光ピックアップ装置の製造コストを削減できる。
【００２４】
一実施形態の光ピックアップ装置の製造方法は、上記レンズ板のレンズは、フォトポリマー法又はインジェクション成形法によって形成されている。
【００２５】
上記実施形態によれば、フォトポリマー法又はインジェクション成形法によって、上記レンズ板に複数のレンズを少ない工程で高精度に形成できる。したがって、光分岐部の所定の性能を得つつ、光分岐部の１個当たりの製造コストを低減できる。
【００２６】
一実施形態の光ピックアップ装置の製造方法は、上記積層体を形成する工程は、上記回折格子、波長板及びレンズ板のうちの少なくとも２つを、接着剤で互いに接着する工程である。
【００２７】
上記実施形態によれば、接着剤を用いることにより、上記回折格子、波長板及びレンズ板のうちの少なくとも２つを、簡易かつ少ない工程で一体化して、積層体を容易かつ安価に形成できる。したがって、光分岐部を少ない組み立て工数で形成できる。
【００２８】
一実施形態の光ピックアップ装置の製造方法は、上記積層体を形成する工程は、上記回折格子板と、上記波長板と、この波長板を覆うガラス板とを接着剤で互いに接着する工程である。
【００２９】
上記実施形態によれば、強度が比較的少ない回折格子板と波長板を、直接又は間接にガラス板に接着することにより、組み立てに必要な強度を有する積層体及び光分岐部を形成できる。
【００３０】
一実施形態の光ピックアップ装置の製造方法は、上記積層体を形成する工程は、上記回折格子とレンズ板とを接着剤で接着する工程である。
【００３１】
上記実施形態によれば、上記回折格子とレンズ板を接着することにより、積層体を容易に形成できる。
【００３２】
一実施形態の光ピックアップ装置の製造方法は、上記接着剤は、エポキシ系接着剤である。
【００３３】
上記実施形態によれば、エポキシ系接着剤は、光学的な収差が比較的少なく、経時変化が比較的小さく、また、硬化に伴う歪みの発生が比較的少ないので、光分岐部の構成部品を互いに接着するのに好適である。特に、上記エポキシ系接着剤は、紫外線硬化型であるのが好ましい。
【００３４】
一実施形態の光ピックアップ装置の製造方法は、上記積層体の表面及び裏面のうちの少なくとも一方に、反射防止膜を形成する工程を備える。
【００３５】
上記実施形態によれば、上記積層体に反射防止膜を形成し、この後に積層体を分割して光分岐部を形成することにより、個々の光分岐部に反射防止膜を形成するよりも、反射防止膜を形成する手間を大幅に削減できる。
【００３６】
一実施形態の光ピックアップ装置の製造方法は、上記光分岐部を形成する工程は、上記積層体をダイシングによって分割して、複数の上記光分岐部を形成する工程である。
【００３７】
上記実施形態によれば、一般的な半導体チップの製造工程で用いられるダイシングを応用することにより、上記積層体を容易に分割して、簡易な工程で複数の光分岐部が得られる。
【発明の効果】
【００３８】
以上のように、本発明の光ピックアップ装置の製造方法は、複数の回折格子が形成された回折格子板と、光の偏光面を変える波長板と、複数のレンズが形成されたレンズ板との少なくとも２つを互いに積層して、積層体を形成する工程と、上記積層体を分割して、複数の光分岐部を形成する工程とを備えるので、分岐部の構成部品を光分岐部の一台毎に一体化するよりも、確実に組み立て工数の削減を行うことができる。
【発明を実施するための最良の形態】
【００３９】
以下、本発明を図示の実施の形態により詳細に説明する。図１は、本発明の実施形態の光ピックアップ装置の製造方法によって製造された光分岐部を示す側面図であり、図２は、上記光分岐部の製造方法を模式的に示した斜視図である。
【００４０】
この光分岐部は、図１に示すように、所定の断面形状の溝が複数個形成されてなる回折格子としてのグレーティング２ａを有するグレーティング部材２と、１／２波長板部材３と、レンズ４ａが形成されたレンズ部材４とが接着剤２５で順次接着されて一体に形成されている。上記接着剤は、紫外線硬化型のエポキシ系接着剤である。上記レンズ部材４の表面とグレーティング部材２の表面には、必要に応じて、少なくとも１方に反射防止膜を形成する。この光分岐部は、図７（ａ），（ｂ）に示した従来のＤＶＤ及びＣＤ用光ピックアップ装置に搭載されるものである。この光ピックアップ装置は、従来のグレーティング５２、波長板５３及びカップリングレンズ５４に代えて光分岐部を備えること以外は、従来の光ピックアップ装置と同様の構成を有する。本実施形態の光ピックアップ装置において、従来の光ピックアップ装置と同じ構成部分には同じ参照番号を用いて、詳細な説明を省略する。
【００４１】
この光分岐部は、図２に示すようにして製造される。すなわち、１つの光分岐部に対応するグレーティング２ａを複数個形成した回折格子板としてのグレーティング板２２と、フィルム状の１／２波長板２３と、１つの光分岐部に対応するレンズ４ａを複数個形成したレンズ板２４とを、順次接着して積層体を形成する。この積層体を、複数の第１切断面２５と第２切断面２６とで切断して分割することにより、複数の光分岐部を形成する。上記第１切断面２５と第２切断面２６は、平面視において互いに直交している。なお、図２では、回折格子板２２と、１／２波長板２３と、レンズ板２４とを接着する前の状態を示している。
【００４２】
上記グレーティング板２２は、以下のようにして複数のグレーティング２ａが形成されている。
【００４３】
例えば、フォトポリマー法を用いる場合、樹脂で形成された板材上に、紫外線硬化樹脂を均一に塗布し、この紫外線硬化樹脂に、ガラス等からなり、グレーティングのパターン原版が表面に形成されたテンプレートを押圧して、このテンプレートのパターンを転写する。この後、紫外線を照射して上記紫外線硬化樹脂を硬化させて、複数のグレーティングを硬化樹脂の表面に形成する。このグレーティングパターンが形成された紫外線硬化樹脂と、この紫外線硬化樹脂が表面に設けられた樹脂板材とで、グレーティング板２２を形成する。
【００４４】
また、インジェクション形成法を用いる場合、複数のグレーティングのパターンが形成された金型に、樹脂を射出成形して、複数のグレーティングを有する樹脂製のグレーティング板２２を形成する。
【００４５】
また、ドライエッチング法を用いる場合、ガラス板上に、グレーティングパターンのネガをマスク材料で印刷してマスクを形成し、このマスクで被覆されていないガラス板の表面の部分をエッチングによって除去する。これにより、ガラス板の表面に複数の所定パターンのグレーティングを有するグレーティング板２２を形成する。
【００４６】
このようにして、グレーティング２ａを複数個有するグレーティング板２２を少ない工程によって形成する。
【００４７】
上記１／２波長板２３は、例えばＪＳＲ（株）製のＡＲＴＯＮ（商品名：環状オレフィン構造を持つ樹脂：特開2001-195770公報〔0024〕段落を参照）等の樹脂フィルムを所定方向に延伸させて、所定の歪みを持たせることによって偏光効果を付加して形成されている。従来は、偏光効果を有する樹脂フィルムを、１個の光分岐部に対応した寸法に予め切断して１／２波長板部材を形成し、この１／２波長部材を、１個の光分岐部に対応したグレーティング部材やレンズ部材と一体化していた。これに対して、本実施形態では、複数個の光分岐部に対応するシート状の１／２波長板２３を用いる。
【００４８】
上記レンズ板２４は、カップリングレンズとして機能するレンズ４ａが、板材の表面に形成されている。上記レンズ４ａの機能を、図３（ａ），（ｂ）を用いて説明する。通常、往路（光源からディスクに向かう経路）の光学系では、コリメートレンズ１１のＮＡ（開口数）を決定すれば、レーザの発光点とコリメートレンズ１１との間の距離が決定する。ここで、光ピックアップ装置の機構上の制限等を満たすために、光路中にレンズを挿入して、コリメートレンズ１１とレーザ発光点との間の距離を調整する。図３（ａ）は、光路中に凸レンズ４ａを挿入することにより、凸レンズ４を設けない場合の発光点１ａを、この発光点１ａよりもコリメートレンズ１１に近い発光点１ｂに移動させた様子を示している。図３（ｂ）は、凹レンズ４ｂを挿入することにより、凹レンズを設けない場合の発光点１ａを、この発光点１ａよりもコリメートレンズ１１から遠い発光点１ｃに移動させた様子を示している。本実施形態では、凸のレンズ４ａを有するレンズ部材４を用いることにより、コリメートレンズ１１に対する距離を短くしている。
【００４９】
図４は、本実施形態のレンズ部材４の一例を示す断面図である。このレンズ部材４は、一般的な凸レンズの仕様を有しており、レンズ４ａの有効系がφ２〜３ｍｍ、かつ、レンズ４ａの厚みが０．０５〜０．２ｍｍである。図４は、光分岐部からグレーティング部材２や１／２波長板部材３を削除して、レンズ部材４のみを取り出して図示している。本実施形態では、複数のレンズ４ａが板材上に形成されてなるレンズ板２４を形成する。この複数のレンズ４ａを有するレンズ板２４は、インジェクション成形法やフォトポリマー法によって製造する。なお、光ピックアップ装置の機構や構造に応じて凹レンズを有するレンズ部材を用いてもよい。
【００５０】
以上のようなグレーティング板２２と１／２波長板２３との間と、この１／２波長板２３とレンズ板２４との間を、紫外線硬化型のエポキシ系接着剤で接着する。この紫外線硬化型のエポキシ系接着剤は、光学的な収差が少なく、かつ、経時変化が小さい点で好適である。なお、紫外線硬化型のエポキシ系接着剤の他に、熱硬化性エポキシ系接着剤等を接着剤として用いることができる。上記グレーティング板２２と、１／２波長板２３と、レンズ板２４とを接着剤で接着して一体化することにより、本発明の積層体が得られる。
【００５１】
引き続いて、上記積層体のグレーティング板２２のグレーティング２ａが形成された側の表面と、レンズ板２４のレンズ４ａが形成された側の表面とに、反射防止コーティングを製膜する。従来は、１つの光ピックアップ装置用の１つの光分岐部を形成した後、個々の光分岐部をパレット等に人手で整列させて搭載し、この光分岐部が搭載されたパレットを蒸着炉に入れて反射防止コーティングの蒸着を行っていた。これに対して、本実施形態では、後の分割工程によって複数個の光分岐部が得られる積層体に蒸着処理を行うことにより、蒸着工程の効率化を大幅に向上できる。なお、上記反射防止コーティングとしては、フッ化マグネシウム等の膜を用いることができる。また、コーティング膜は、何層形成してもよく、また、グレーティング板２２の表面とレンズ板２４の表面とのいずれか一方のみに形成してもよい。
【００５２】
上記蒸着処理を施した積層体を、半導体ＩＣ等の製造工程で一般的に用いられるダイシング加工によって分割して、光ピックアップに搭載できる寸法にして、光分岐部が完成する。図２において、複数の第１切断面２５及び第２切断面２６が、ダイシング加工時にブレードが通過する切断面である。このように製造することにより光分岐部の切断面は一つの面となるので、グレーティング部材２、１／２波長部材３、レンズ部材４を個々に製造してから貼り合せた場合に比較すると、断面の位置がずれて設計値より余分なスペースを取るといった問題が発生しない。
【００５３】
本実施形態において、光分岐部は、グレーティング部材２と、１／２波長板部材３と、レンズ部材４とで構成したが、カップリングレンズが不要である場合、レンズ部材４を削除してもよい。この場合、図５に示すように、１／２波長板部材３を保持するためのガラス板部材２８を用いて、このガラス板部材２８と１／２波長板部材３とを接着剤２５で接着し、この１／２波長板部材３とグレーティング部材２とを接着剤２５で接着して一体化した光分岐部を形成する。この光分岐部は、ガラス板にグレーティング板２２と１／２波長板２３とを接着剤で順次接着して積層体を形成し、この積層体を分割して製造すればよい。
【００５４】
また、光源からのレーザ光をＰ偏光からＳ偏光に変換する必要が無い場合、１／２波長板部材３を削除してもよい。この場合、図６に示すように、レンズ部材４とグレーティング部材２とを接着剤２５で接着して一体化した光分岐部を形成する。この光分岐部は、レンズ板２４にグレーティング板２２を接着剤で接着して積層体を形成し、この積層体を分割して製造すればよい。
【００５５】
また、本実施形態では、従来のＤＶＤ側の往路に設けられたグレーティング５２、波長板５３及びカップリングレンズ５４に置き換えられる光分岐部について説明したが、従来のＣＤ側の往路のグレーティング６、波長板７及びカップリングレンズ８についても、本発明の光分岐部に置き換えることができるのは言うまでもない。
【図面の簡単な説明】
【００５６】
【図１】本発明の実施形態の光ピックアップ装置の製造方法によって製造された光分岐部を示す側面図である。
【図２】光分岐部の製造方法を模式的に示した斜視図である。
【図３】図３（ａ）及び（ｂ）は、光分岐部が有するレンズの機能を説明する図であって、図３（ａ）は光路上に凸レンズを挿入した様子を示す図であり、図３（ｂ）は光路上に凹レンズを挿入した様子を示す図である。
【図４】レンズ部材の一例を示す断面図である。
【図５】ガラス板部材と１／２波長板部材とグレーティング部材とで形成された光分岐部を示す図である。
【図６】レンズ部材とグレーティング部材とで形成された光分岐部を示す図である。
【図７】図７（ａ）及び（ｂ）は、従来の光ピックアップ装置の光学系を示す図であり、図７（ａ）は、レーザ光源からコリメートレンズまでの光学系の部分を示し、図７（ｂ）は、コリメートレンズから対物レンズまでの光学系の部分を示す図である。
【図８】従来の光ピックアップ装置に用いられるホルダーを示した図である。
【符号の説明】
【００５７】
２ａ  グレーティング
４ａ  レンズ
２２  グレーティング板
２３  １／２波長板
２４  レンズ板
２５  第１切断面
２６  第２切断面
【図１】
2007207350.tif 000003
【図２】
2007207350.tif 000004
【図３】
2007207350.tif 000005
【図４】
2007207350.tif 000006
【図５】
2007207350.tif 000007
【図６】
2007207350.tif 000008
【図７】
2007207350.tif 000009
【図８】
2007207350.tif 000010